(57)【要約】【課題】  余剰汚泥のりん酸含有量を演算し、りん酸含有量からりん酸放出速度を求めて、りん酸放出が最大となるように有機物注入量を制御することで、りん酸回収効率向上を可能とする晶析によるりん回収装置の制御装置及び制御方法を提供する。【解決手段】  活性汚泥プロセスに設置した水質計測器で計測されたデータから余剰汚泥中のりん酸含有量を演算するりん酸含有量演算手段２００と、りん酸含有量演算手段２００により演算されたりん酸含有量，余剰汚泥濃度計で計測された余剰汚泥濃度を含む計測データから前記沈殿槽内のりん酸放出速度を演算し、演算されたりん酸放出速度からりん酸放出に必要な有機物濃度を算出するりん酸放出速度演算手段１１と、りん酸放出速度演算手段１１により演算された有機物濃度となるように前記沈殿槽に有機物を注入する有機物注入機１２の注入量を制御する有機物注入制御手段１３を備えた。【選択図】図１
2010069403.tif 000002
【特許請求の範囲】
【請求項１】
活性汚泥プロセスの余剰汚泥を沈殿槽で沈降滞留させて、上澄み液を晶析槽に導き、カルシウムを添加してりん酸カルシウムとして回収するりん回収装置の制御装置であって、前記活性汚泥プロセスに設置した水質計測器で計測されたデータから余剰汚泥中のりん酸含有量を演算するりん酸含有量演算手段と、該りん酸含有量演算手段により演算されたりん酸含有量，余剰汚泥濃度計で計測された余剰汚泥濃度を含む計測データから前記沈殿槽内のりん酸放出速度を演算し、該演算されたりん酸放出速度からりん酸放出に必要な有機物濃度を算出するりん酸放出速度演算手段と、該りん酸放出速度演算手段により演算された有機物濃度となるように前記沈殿槽に有機物を注入する有機物注入機の注入量を制御する有機物注入制御手段を備えた晶析によるりん回収装置の制御装置。
【請求項２】
前記晶析槽にカルシウムを注入するカルシウム注入機のカルシウム注入量を制御するカルシウム注入制御手段を具備し、前記りん酸含有量演算手段により演算されたりん酸含有量，余剰汚泥濃度計で計測された余剰汚泥濃度から前記沈殿槽から流出する上澄み液のりん酸濃度を算出し、前記カルシウム注入制御手段は、算出されたりん酸濃度に基づいてカルシウム注入量を算出して前記カルシウム注入機のカルシウム注入量を制御する請求項１に記載の晶析によるりん回収装置の制御装置。
【請求項３】
前記りん酸含有量演算手段は、前記活性汚泥プロセスの嫌気槽で計測されたりん酸濃度と好気槽で計測された活性汚泥濃度から、前記余剰汚泥に蓄積されたりん酸含有量を演算する請求項１又は２に記載の晶析によるりん回収装置の制御装置。
【請求項４】
りん酸含有量演算手段で、活性汚泥プロセスに設置した水質計測器で計測されたデータから沈殿槽で沈降滞留させる余剰汚泥中のりん酸含有量を演算し、りん酸放出速度演算手段で、前記りん酸含有量演算手段により演算されたりん酸含有量，余剰汚泥濃度計で計測された余剰汚泥濃度を含む計測データから前記沈殿槽内のりん酸放出速度を演算し、該演算されたりん酸放出速度からりん酸放出に必要な有機物濃度を算出し、該りん酸放出速度演算手段により演算された有機物濃度となるように、有機物注入制御手段により前記沈殿槽に有機物を注入する有機物注入機の注入量を制御し、上澄み液を晶析槽に導き、カルシウムを添加してりん酸カルシウムとして回収する晶析によるりん回収装置の制御方法。
【請求項５】
前記りん酸放出速度演算手段は、前記りん酸含有量演算手段により演算されたりん酸含有量に基づいて前記上澄み液のりん酸濃度を演算し、カルシウム注入制御手段で、前記演算されたりん酸濃度によりカルシウム注入機のカルシウム注入量を制御する請求項４に記載の晶析によるりん回収装置の制御方法。
【請求項６】
前記りん酸含有量演算手段は、前記活性汚泥プロセスの嫌気槽で計測されたりん酸濃度と好気槽で計測された活性汚泥濃度から、前記余剰汚泥に蓄積されたりん酸含有量を演算する請求項４又は５に記載の晶析によるりん回収装置の制御方法。
【発明の詳細な説明】
【技術分野】
【０００１】
本発明は、活性汚泥プロセスの余剰汚泥に有機物を注入して沈殿槽に沈降滞留させ、沈殿槽の上澄み液を晶析槽に導いてカルシウムを添加し、りん酸カルシウムとして回収する晶析によるりん回収装置の制御装置及び制御方法に関する。
【背景技術】
【０００２】
りんは、動植物に不可欠な栄養塩類であるが、地球上のりん鉱石の埋蔵量は有限であり、１００年後には枯渇すると予測されている。そのため、りんの回収と再利用は重要な課題となっている。
【０００３】
動植物性の生活排水が流れる下水には、低濃度のりんが含まれているため、下水処理場の活性汚泥プロセスから排出される余剰汚泥や廃液から、りんを回収する技術の研究と実験が進められている。
【０００４】
回収されたりん酸カルシウムが、肥料，食品添加物，試薬の他、様々の産業に利用可能であることから、溶解性のりん酸（ＰＯ４−Ｐ）にカルシウム（Ｃａ）を添加して不溶性のりん酸カルシウムとして回収する方法（以下晶析りん回収法）について、種々の試みがなされている。
【０００５】
例えば、活性汚泥プロセスの１つである嫌気好気法では、流入下水中に含まれる溶解性りんを、活性汚泥と呼ばれる微生物群内にポリりん酸として貯蔵して、下水中から除去している。従って、活性汚泥プロセスから引き抜いた余剰汚泥を沈殿槽で沈降させて固液分離し、余剰汚泥からりん酸を放出させた沈殿槽の上澄み液にカルシウムを添加することにより、りん酸カルシウムを回収することができる。このような、余剰汚泥を利用した晶析りん回収法では、余剰汚泥から、りん酸を十分に放出させるプロセスと、りん酸量に見合ったカルシウムを添加するプロセスの適切な運転が不可欠である。
【０００６】
余剰汚泥から、りん酸カルシウムを回収する従来の技術には、〔特許文献１〕に記載のように、有機性廃液の生物処理装置から排出される余剰汚泥の少なくとも一部を生物的に消化し、消化汚泥を可溶化する余剰汚泥処理手段と、余剰汚泥処理手段の液分を分離する固液分離手段と、固液分離手段からの分離水を脱リンする脱リン手段とを有し、脱リン手段からの処理水の一部を余剰汚泥処理手段へ返送する返送手段を備えた有機性廃液処理装置が提案されている。
【０００７】
又、りん含有排水に注入するカルシウムを制御する従来の技術には、〔特許文献２〕に記載のように、リン含有排水を反応晶析槽内に導入し、カルシウム化合物とアルカリ剤の少なくとも１つを添加し、りん酸カルシウムを含有する結晶種の流動床を形成しながらりん酸含有排水中のリンと結晶種とを接触させて、りん酸含有排水中のリンをりん酸カルシウム化合物として分離し、反応晶析槽内に導入されるリン含有排水の流量に応じて反応晶析槽内に注入するカルシウム化合物とアルカリ剤の少なくとも１つの量をフィードフォワード制御する晶析脱リン方法が提案されている。
【０００８】
【特許文献１】特開２００７−５０３８７号公報
【特許文献２】特開２００３−１９０９６７号公報
【発明の開示】
【発明が解決しようとする課題】
【０００９】
流入下水中のりん酸量は、人間の社会活動，産業活動の影響を受け、また、時間，天候，季節などの自然界の影響を受けて大きく変動するため、活性汚泥プロセスから排出された余剰汚泥中のりん酸含有量も変動する。このため、余剰汚泥を沈殿槽で滞留した時のりん酸放出量は一定ではなく、沈殿槽におけるりん酸放出速度は、余剰汚泥中のりん酸含有量，余剰汚泥濃度，液中の有機物濃度に大きく依存する。
【００１０】
よって、晶析法により余剰汚泥からりん酸を高効率で回収するには、上述したように、流入する余剰汚泥中のりん酸含有量を把握し、有機物を適正に注入してりん酸を適切に放出させる運転を実施する必要がある。
【００１１】
〔特許文献１〕に記載の有機性廃液処理装置では、余剰汚泥から、りん酸を放出させる手段に関しては何ら記載が無く、余剰汚泥からりん酸を回収する装置の運転管理には適用できない。又、りん酸変動に対するカルシウム注入方法についても記載されていない。
【００１２】
一方、〔特許文献２〕には、りん含有排水の流量に応じて注入するカルシウム注入量をフィードフォワード制御する方法が提案されている。しかし、〔特許文献２〕に記載の晶析脱リン方法では、リン含有排水の流量に応じて制御をしているため、りん酸量が変動した場合は、りん酸量に見合った適正なカルシウムを注入できないという問題がある。
【００１３】
このため、カルシウムの注入不足によるりん回収率の低下、逆に、カルシウム過剰注入による排水カルシウム残留が避けられない。特に、排水中に残留したカルシウムは、りん回収装置，バルブ，配管内に析出して悪影響を及ぼすだけでなく、水環境への悪影響も大きい。
【００１４】
このように、〔特許文献１〕，〔特許文献２〕に記載の従来の技術では、余剰汚泥からのりん回収には、りん酸放出とカルシウム注入の適正化が重要であるにも関わらず、何ら対応されていないため、余剰汚泥から、りん酸を回収する装置を適切に運用することはできないという問題がある。
【００１５】
りん酸計測については、溶解性りん酸であれば、膜ろ過で汚泥を分離した後に計測する手法を自動化したセンサが実用化されつつある。しかし、余剰汚泥に含まれたりん酸量の計測については、余剰汚泥を乾燥させた後に、元素分析器などを使用してりん成分を計測するという手分析で計測せざるを得ないため、連続運転しているりん回収装置の運転に反映することは不可能であった。
【００１６】
このように、りん回収効率を高く安定させるには、余剰汚泥から放出されるりん酸が最大となるように適正な有機物を注入し、放出されたりん酸に見合った適正なカルシウムを注入せねばならないが、従来の技術では実現できないという課題があった。
【００１７】
本発明の目的は、余剰汚泥のりん酸含有量を演算し、りん酸含有量からりん酸放出速度を求めて、りん酸放出が最大となるように有機物注入量を制御することで、りん酸回収効率向上を可能とする晶析によるりん回収装置の制御装置及び制御方法を提供することにある。
【課題を解決するための手段】
【００１８】
上記目的を達成するために、本発明は、活性汚泥プロセスの余剰汚泥を沈殿槽で沈降滞留させて、上澄み液を晶析槽に導き、カルシウムを添加してりん酸カルシウムとして回収するりん回収装置を制御するために、余剰汚泥中のりん酸含有量を演算するりん酸含有量演算手段と、りん酸放出速度を演算するりん酸放出速度演算手段と、沈殿槽へ注入する有機物量を制御する有機物注入制御手段と、晶析槽へ注入するカルシウム量を制御するカルシウム注入制御手段とを備え、りん酸放出速度演算手段は、りん酸含有量演算手段により演算されたりん酸含有量に基づいて有機物注入量設定値を演算し、この演算結果により有機物注入制御手段により沈殿槽へ注入する有機物量を制御するものである。
【００１９】
また、りん酸放出速度演算手段は、りん酸含有量演算手段により演算されたりん酸含有量に基づいてりん酸放濃度を演算し、演算されたりん酸濃度に基づいてカルシウム注入制御手段によりカルシウム注入量を制御するものである。
【発明の効果】
【００２０】
本発明によれば、余剰汚泥に貯蔵されたりん酸の変動や、晶析槽に流入するりん酸の変動が発生しても、余剰汚泥から放出されるりん酸が最大となるように適正な有機物を注入でき、りん回収効率が安定かつ高効率でりんを回収できる。
【発明を実施するための最良の形態】
【００２１】
本発明の一実施例を図１から図４により説明する。図１は、本実施例の晶析によるりん回収装置の構成図である。
【００２２】
図４に一例として示す活性汚泥プロセスから排出された余剰汚泥が流入する流路１には、余剰汚泥濃度計２，流量計２０，流入調整ゲート３が順次接続され、流量調整ゲート３には流路６により沈殿槽４が接続されている。沈殿槽４には、濃縮汚泥の引き抜きを行うための流路７が接続されている。沈殿槽４は、流量計９が設けられた流路１５により晶析槽５に接続されている。晶析槽５には排水のための流路１６及びりん酸カルシウムを回収するための流路８が接続されている。
【００２３】
余剰汚泥濃度計２は、りん酸含有量演算手段２００に接続されたりん酸放出速度演算手段１１に接続され、りん酸放出速度演算手段１１は、流量計２０から信号を入力し、有機物注入機１２に制御信号を出力する有機物注入制御手段１３、並びに流量計９から信号を入力し、カルシウム注入機１０に制御信号を出力するカルシウム注入制御手段１４に接続されている。カルシウム注入機１０は、晶析槽５にカルシウムの注入を行う。
【００２４】
活性汚泥プロセスから排出され、流路１を流れる余剰汚泥は、沈殿槽４に流入する。余剰汚泥は、沈殿槽４に流入して沈降し、濃縮された余剰汚泥と汚泥を含まない上澄み液に分離される。有機物注入機１２により沈殿槽４へ有機物を添加し、沈殿槽４内を酸素のない嫌気状態に維持すると、余剰汚泥内の微生物が貯蔵していたりん酸が液中に放出される。余剰汚泥を沈殿槽４に滞留させて固液分離された上澄み液には放出されたりん酸が溶解している。
【００２５】
沈殿槽４に沈殿した余剰汚泥は、流路７により濃縮汚泥として沈殿槽４から引き抜かれて処分される。濃縮汚泥の引き抜きは、一定量で連続的に行ってもよく、間欠的に行っても良い。流入した余剰汚泥の固形物量を演算して、演算された固形物量に基づいて濃縮汚泥の引き抜き量が決定される。
【００２６】
沈殿槽４から流出した上澄み液は、流路１５により晶析槽５に送られ、カルシウム注入機１０から注入されたカルシウムと混合されて、りん酸カルシウムを生成する。晶析槽５で生成したりん酸カルシウムは、流路８により連続的あるいは間欠的に晶析槽５から回収される。
【００２７】
りん酸含有量演算手段２００は、下水処理場の活性汚泥プロセスに設置した水質計測器で計測されたデータから、後述する数６により余剰汚泥に貯蔵されたりん酸含有量を演算して、りん酸放出速度演算手段１１に送信する。
【００２８】
りん酸放出速度演算手段１１は、余剰汚泥濃度計２で計測された余剰汚泥濃度，余剰汚泥流量計２０で計測された余剰汚泥濃流量などの計測データ、りん酸含有量などの演算結果、初期設定データを用いて、後述する数３により、沈殿槽４内のりん酸放出速度を演算する。この演算結果に基づいて、沈殿槽４への有機物注入量設定値を演算して、有機物注入制御手段１３に送信する。有機物注入制御手段１３は受信した有機物注入量設定値により、有機物注入機１２を制御して沈殿槽４への有機物流入量を調節する。
【００２９】
一方、りん酸放出速度演算手段１１は、余剰汚泥濃度計２で計測された余剰汚泥濃度，りん酸含有量などのデータ，沈殿槽容積や演算用係数などの初期設定データを用いて、沈殿槽４で分離された上澄み液に含まれるりん酸量を演算し、カルシウム注入制御手段１４に送信する。
【００３０】
カルシウム注入制御手段１４は、受信したりん酸量と、流量計９で計測された晶析槽５への流入する上澄み液の流入流量からカルシウム注入量を演算して、演算結果をカルシウム注入機１０に送信する。カルシウム注入機１０は、注入弁の弁開度などを制御することにより、設定されたカルシウム注入量を晶析槽５に注入する。
【００３１】
図２は、本実施例のりん酸放出速度演算手段１１の構成図である。図２に示すように、りん酸放出速度演算手段１１は、主としてＣＰＵ１１１，入出力部１００，メモリ１１２で構成される。
【００３２】
メモリ１１２には、滞留時間演算１１４，目標とするりん酸放出速度演算１１５，りん酸放出に必要な有機物量演算１１６，りん酸放出量演算１１８などのプログラム群と、データベース１１３が格納されている。
【００３３】
入出力部１００は、通信インタフェースであり、ネットワーク１２０を介して端末１１９，りん酸含有量演算手段２００，余剰汚泥濃度計２，余剰汚泥流量計２０，有機物注入制御手段１３，カルシウム注入制御手段１４と接続している。入出力部１００を介して相互に送受信し、データベース１１３のデータを更新する。
【００３４】
ＣＰＵ１１１は、メモリ１１２に格納されたプログラム群を定周期あるいはイベント発生で実行し、りん酸含有量演算手段２００で演算されたりん酸含有量データと、余剰汚泥濃度計２で計測された余剰汚泥濃度データ，余剰汚泥流量計２０で計測された余剰汚泥流量データなどを入力として、沈殿槽４における有機物注入量とりん酸放出量を演算して、演算結果をそれぞれ有機物注入制御手段１３，カルシウム注入制御手段１４に送信する。
【００３５】
図３は、りん酸放出速度演算手段１１の演算フローを示す流れ図である。りん酸放出速度演算手段１１のＣＰＵ１１１は、メモリ１１２のプログラムを例えば次のようなステップにて実行する。
【００３６】
ステップＳ１では、データベース１１３から計測値，沈殿池容積や晶析槽容積などの装置構造、演算式の定数を読み出す。ステップＳ２では、滞留時間演算１１４のプログラムにより、例えば数１により、沈殿槽４に流入した余剰汚泥が滞留する時間を計算する。
【００３７】
【数１】
2010069403.tif 000003
【００３８】
ここで、Ｔは滞留時間（ｈ）、Ｆは余剰汚泥流量（ｍ3／ｈ）、Ｃは沈殿槽容積（ｍ3）である。
【００３９】
ステップＳ３では、目標とするりん酸放出速度演算１１５のプログラムにより、例えば数２により、余剰汚泥に貯蔵されているりん酸を放出させるのに必要な放出速度の目標値を計算する。ＳＳ（Susupended Solid）は、水中の浮遊固形物量のことで余剰汚泥量を表す。
【００４０】
【数２】
2010069403.tif 000004
【００４１】
ここで、Ｖ１は目標とするりん酸放出速度（ｇＰ／ｍ3／ｈ）、Ｒはりん酸含有量（ｇＰ／ｇＳＳ）、Ｘは余剰汚泥濃度（ｇＳＳ／ｍ3）、Ｔは滞留時間（ｈ）である。
【００４２】
ステップＳ４では、りん酸放出に必要な有機物量演算１１６のプログラムにより、例えば数３のりん酸放出速度式を使用して、数２で求めた目標とするりん酸放出速度を代入し、りん酸放出に必要な有機物濃度Ａを算出する。ＣＯＤ（Chemical Oxygen Demand）は化学的酸素要求量のことで有機物量を表す。
【００４３】
【数３】
2010069403.tif 000005
【００４４】
ここで、Ｖはりん酸放出速度（ｇＰ／ｍ3／ｈ）、ｑは最大比リン放出速度（ｇＰ／ｇＳＳ／ｈ）、Ａは有機物濃度（ｇＣＯＤ／ｍ3）、Ｒはりん酸含有量（ｇＰ／ｇＳＳ）、Ｘは余剰汚泥濃度（微生物濃度）（ｇＳＳ／ｍ3）、Ｋｓは有機物飽和定数（ｇＣＯＤ／ｍ3）、Ｋｐｐはポリリン酸含有量飽和定数（ｇＰ／ｇＳＳ）である。定数Ｋｓと定数Ｋｐｐは、実験的に求めることができる。
【００４５】
有機物濃度Ａとりん酸放出速度Ｖの関係は、有機物濃度Ａが増加するに従って、りん酸放出速度Ｖが増加し、やがて飽和するような曲線で示される。このため、数２で目標とするりん酸放出速度が計算されると、これに対応する有機物濃度Ａを決めることができ、求められた有機物濃度となるように有機物注入機１２が制御される。ここで、流入する余剰汚泥には、多くの場合、有機物はほとんど含まれていないため、求められた有機物濃度となるように制御している。
【００４６】
ステップＳ５では、りん酸放出量演算１１８のプログラムにより、例えば数４により、沈殿槽４から流出するりん酸濃度を計算する。
【００４７】
【数４】
2010069403.tif 000006
【００４８】
ここで、Ｐｉはりん酸濃度（ｇＰ／ｍ3）、Ｒはりん酸含有量（ｇＰ／ｇＳＳ）、Ｘは余剰汚泥濃度（微生物濃度）（ｇＳＳ／ｍ3）である。
【００４９】
ステップＳ６では、計算結果をデータベース１１３に保存する。
【００５０】
数３で計算された有機物量は有機物注入制御手段１３に送られる。有機物注入制御手段１３は有機物注入機１２を制御して、沈殿槽４への有機物流入量を制御する。
【００５１】
また、数４で計算されたりん酸濃度は、カルシウム注入制御手段１４に送られる。カルシウム注入制御手段１４は、例えば数５によりカルシウム注入率を計算し、カルシウム注入機１０を制御して、晶析槽５へのカルシウム注入量を制御する。
【００５２】
【数５】
2010069403.tif 000007
【００５３】
ここで、Ｗはカルシウム注入率（ｇＣａ／ｍ3）、Ｐｉはりん酸濃度（ｇＰ／ｍ3）、Ｋ１，Ｋ２は係数である。係数Ｋ１，Ｋ２は、カルシウムとりんのモル比から設定した係数、或いは実験により確認された係数が用いられる。
【００５４】
図４は、りん酸含有量演算手段２００の構成図である。図４は、活性汚泥プロセスの１つである嫌気好気法に適用した一実施例である。
【００５５】
本実施例の活性汚泥プロセスは、図４に示すように、流入下水が流れる流路２１０が接続された嫌気槽２０３，嫌気槽２０３に隣接された好気槽２０４で構成される生物反応槽，生物反応槽に接続された最終沈殿池２０５，最終沈殿池２０５に接続され放流水を流す流路２０６，最終沈殿池２０５から嫌気槽２０３に返送汚泥を流すための流路２０７，余剰汚泥を抜き出すための流路２０８，嫌気槽２０３の出口に設置された水質計２０１，好気槽２０４の出口に設置された水質計２０２，水質計２０１，２０２に接続されたりん酸含有量演算手段２００で構成される。
【００５６】
嫌気好気法は、嫌気槽２０３，好気槽２０４を有する生物反応槽，最終沈殿池２０５で構成される。都市下水や産業排水、及び雨水を含む流入下水は、最初沈殿池（図示せず）で、固形物が沈降除去され、有機物，りん，アンモニア性窒素などを含む上澄み液が、嫌気槽２０３へ流路２１０により流入下水として送られる。
【００５７】
嫌気槽２０３は、溶存酸素が存在しない嫌気状態に維持され、活性汚泥から細胞内に貯蔵していたりん酸が液中に放出される。りん酸放出時に、活性汚泥は有機物を吸着し、細胞内に蓄積する。このため、嫌気槽２０３では、りんが増加し、有機物が減少する。
【００５８】
嫌気槽２０３の混合液は、好気槽２０４に導かれる。好気槽２０４には送風機から供給された空気を噴射し、混合液を攪拌するとともに活性汚泥中に酸素を供給する。好気状態において活性汚泥は、吸着した有機物及び混合液中の有機物を水と炭酸ガスに酸化分解する。また、混合液中のりん酸を細胞内に摂取する。りん酸摂取量は、通常、嫌気槽２０３で放出した以上の過剰摂取となるため、嫌気好気法のプロセス全体では液体中のりん酸が減少し、活性汚泥中のりん酸は増加する。好気槽２０４から流出して混合液は最終沈殿池２０５に導かれ、混合液中の活性汚泥が重力沈降する。上澄み液は、処理水として消毒殺菌後、河川や海洋に放流される。
【００５９】
沈殿した活性汚泥は高濃度となり、大部分を返送汚泥として流路２０７により嫌気槽２０３に戻される。嫌気槽２０３，好気槽２０４では、反応に対応して活性汚泥中の微生物が増殖し、活性汚泥濃度を増加させるが、この増殖分に相当する汚泥を余剰汚泥として流路２０８によりプロセス系外に排出する。余剰汚泥中に保持されているりん酸は、プロセス全体のりん除去量に相当する。
【００６０】
活性汚泥のりん酸摂取，放出は、流入下水の水質や流量，プラントの運転条件、あるいは活性汚泥の管理条件で変化し、徐々に、あるいは突発的に変動する。
【００６１】
嫌気槽２０３出口には水質計２０１，好気槽２０４の出口には水質計２０２が配置され、りん酸濃度と活性汚泥濃度を計測する。りん酸含有量演算手段２００は、水質計２０１，２０２で計測されたデータに基づいて、例えば数６により、活性汚泥中に貯蔵されるりん酸含有量を計算する。
【００６２】
【数６】
2010069403.tif 000008
【００６３】
ここで、Ｒはりん酸含有量（ｇＰ／ｇＳＳ）、Ｐ１は嫌気槽流出（末端）りん濃度（ｇＰ／ｍ3）、Ｓ１は嫌気槽流出（末端）汚泥濃度（ｇＳＳ／ｍ3）、Ｐ２は好気槽流出（末端）りん濃度（ｇＰ／ｍ3）、Ｓ２は好気槽流出（末端）汚泥濃度（ｇＳＳ／ｍ3）、δは微生物細胞リン含有率（ｇＰ／ｇＳＳ）である。
【００６４】
活性汚泥プロセスの嫌気槽２０３の出口から好気槽２０４の出口におけるりん濃度の変化から、活性汚泥に貯蔵されたりん酸含有量Ｒは、余剰汚泥に含有されたりん酸含有量として使用する。本実施例では最終沈殿池２０５における反応を含めていないが、流路２０６からの放水量，流路２０８からの余剰汚泥に水質計を配置することにより、最終沈殿池２０５に滞留した活性汚泥中のりん酸含有量を計算しても良い。
【００６５】
りん酸含有量演算手段２００の計算の他の実施例として、活性汚泥プロセス全体をモデル化したプログラムを利用してりん酸含有量を演算しても良い。例えば、国際水環境協会（ＩＷＡ）が発表している「活性汚泥モデル」などのモデルを適用して、流入条件（水量，有機物，リン，窒素，水温，アルカリ度，汚泥量など），施設仕様（土木寸法，槽分割，配管（循環，流入ステップ）など），操作量（返送量，余剰量，循環量，送風量），汚泥条件（汚泥濃度，汚泥沈降率），薬品添加量などを初期条件として、余剰汚泥のりん酸含有量を計算させても良い。
【００６６】
なお、本実施例では、下水処理場活性汚泥プロセスの余剰汚泥を原料とした適用例を説明したが、一般の事業所排水処理における活性汚泥プロセスに適用する場合でも、個別の情報内容や項目が異なるが、基本的な方式は全く同様に適用することができる。
【００６７】
本実施例によれば、余剰汚泥に貯蔵されたりん酸の変動や、晶析槽に流入するりん酸の変動が発生しても、安定かつ高効率でりんを回収できる。
【００６８】
また、カルシウム過剰注入を防止できるので、排水中の残留カルシウムを低減でき、カルシウム注入コスト抑制だけでなく水環境保全に大きく貢献できる。残留カルシウムの析出低減により、りん回収装置の延命化，ライフサイクルコスト低減にも繋がる。
【００６９】
また、安定してりん酸カルシウムを生成できるので、需要先に安定して供給できる体制を整えることができ、有用で有限な資源のリサイクルネットワークを構築できる。
【図面の簡単な説明】
【００７０】
【図１】本発明の一実施例による晶析によるりん回収装置の制御方法の構成図。
【図２】本実施例のりん酸放出速度演算手段の構成図。
【図３】本実施例のりん酸放出速度演算手段の演算フロー図。
【図４】本実施例のりん酸含有量演算手段の構成図。
【符号の説明】
【００７１】
１，６，７，８，１５，１６，２０６，２０７，２０８，２１０  流路
２  余剰汚泥濃度計
４  沈殿槽
５  晶析槽
１０  カルシウム注入機
１１  りん酸放出速度演算手段
１２  有機物注入機
１３  有機物注入制御手段
１４  カルシウム注入制御手段
１００  入出力部
１１１  ＣＰＵ
１１２  メモリ
１１３  データベース
１１４  滞留時間演算
１１５  目標とするりん酸放出速度演算
１１６  りん酸放出に必要な有機物量演算
１１８  りん酸放出量演算
１１９  端末
１２０  ネットワーク
２００  りん酸含有量演算手段
２０１，２０２  水質計
２０３  嫌気槽
２０４  好気槽
２０５  最終沈殿池
【図１】
2010069403.tif 000009
【図２】
2010069403.tif 000010
【図３】
2010069403.tif 000011
【図４】
2010069403.tif 000012